(57)【特許請求の範囲】
【請求項１】
第１の光を発生する光源と、
被検体内の所定の領域に前記第１の光を照射する照射部と、前記第１の光が前記被検体に照射されることにより発生する第１の音響波を検出する音響波検出部とを有する受信部と、
前記被検体の表面に第２の光を照射するとともに、前記被検体に前記第２の光が照射されることにより発生する光を受信して前記被検体の表面と前記音響波検出部との距離を測定し、所定の測定範囲における各測定位置に対応する前記距離に基づく３次元領域データを算出する距離算出部と、
前記受信部が前記被検体の表面の凹形状または凸形状に沿うように、前記３次元領域データを用いて前記被検体と前記受信部との相対移動を行いつつ前記第１の光の照射及び前記第１の音響波の検出を行う走査部と、
前記音響波検出部の検出結果に基づいて前記被検体における前記所定の領域の特性情報を取得する取得部と、
を有する被検体情報取得装置。
【請求項２】
第１の光を発生する光源と、
被検体内の所定の領域に前記第１の光を照射する照射部と、前記第１の光が前記被検体に照射されることにより発生する第１の音響波を検出する音響波検出部とを有する受信部と、
前記被検体の表面に第２の光を照射するとともに前記第２の光が照射されることにより前記被検体の表面から発生する第２の音響波を受信し、前記第２の光の照射から前記第２の音響波の受信までの時間に基づいて前記被検体の表面と前記音響波検出部との距離を測定し、所定の測定範囲における各測定位置に対応する前記距離に基づく３次元領域データを算出する距離算出部と、
前記受信部が前記被検体の表面の凹形状または凸形状に沿うように、前記３次元領域データを用いて前記被検体と前記受信部との相対移動を行いつつ前記第１の光の照射及び前記第１の音響波の検出を行う走査部と、
前記音響波検出部の検出結果に基づいて前記被検体における前記所定の領域の特性情報を取得する取得部と、
を有する被検体情報取得装置。
【請求項３】
前記第１の光と同じ光路で前記被検体の表面に前記第２の光を照射することで前記被検体の表面に対する明視野照明の光学系が構成されている
請求項２に記載の被検体情報取得装置。
【請求項４】
凸面形状ミラーをさらに有し、前記光源からの光が前記凸面形状ミラーで反射されることで前記第２の光が導光される
請求項２または３に記載の被検体情報取得装置。
【請求項５】
前記音響波検出部は音響レンズを有し、
前記音響レンズは前記第１の光が前記被検体に照射されることにより音響焦点領域から発生する音響波を集音する
請求項１乃至４のいずれか１項に記載の被検体情報取得装置。
【請求項６】
前記所定の領域および前記音響焦点領域の一方は他方に含まれる
請求項５に記載の被検体情報取得装置。
【請求項７】
前記特性情報は画像を形成するための画像データである
請求項１乃至６のいずれか１項に記載の被検体情報取得装置。
【請求項８】
前記画像データに基づいて画像を表示する表示部をさらに有する
請求項７に記載の被検体情報取得装置。
【請求項９】
被検体内の所定の領域に第１の光を照射する照射部と、前記第１の光が前記被検体に照射されることにより発生する第１の音響波を検出する音響波検出部と、を含む受信部を有する被検体情報取得装置が行う被検体情報取得方法であって、
前記被検体の表面に第２の光を照射するとともに、前記被検体に前記第２の光が照射されることにより発生する光を受信して前記被検体の表面と前記音響波検出部との距離を測定し、所定の測定範囲における各測定位置に対応する前記距離に基づく３次元領域データを算出する距離算出ステップと、
前記受信部が前記被検体の表面の凹形状または凸形状に沿うように、前記３次元領域データを用いて前記被検体と前記受信部との相対移動を行いつつ前記第１の光の照射及び前記第１の音響波の検出を行う走査ステップと、
前記第１の音響波の検出結果に基づいて前記被検体における前記所定の領域の特性情報を取得する取得ステップと、
を含む、被検体情報取得方法。
【請求項１０】
被検体内の所定の領域に第１の光を照射する照射部と、前記第１の光が前記被検体に照射されることにより発生する第１の音響波を検出する音響波検出部と、を含む受信部を有する被検体情報取得装置が行う被検体情報取得方法であって、
前記被検体の表面に第２の光を照射するとともに前記第２の光が照射されることにより前記被検体の表面から発生する第２の音響波を受信し、前記第２の光の照射から前記第２の音響波の受信までの時間に基づいて前記被検体の表面と前記音響波検出部との距離を測定し、所定の測定範囲における各測定位置に対応する前記距離に基づく３次元領域データを算出する距離算出ステップと、
前記受信部が前記被検体の表面の凹形状または凸形状に沿うように、前記３次元領域データを用いて前記被検体と前記受信部との相対移動を行いつつ前記第１の光の照射及び前記第１の音響波の検出を行う走査ステップと、
前記第１の音響波の検出結果に基づいて前記被検体における前記所定の領域の特性情報を取得する取得ステップと、
を含む、被検体情報取得方法。
【請求項１１】
前記被検体の表面に対する明視野照明で前記第２の光を照射する
請求項１０に記載の被検体情報取得方法。
【請求項１２】
前記第１の光を発生する光源からの光が凸面形状ミラーで反射されることで前記第２の光が導光される
請求項１０または１１に記載の被検体情報取得方法。
【請求項１３】
前記特性情報は画像を形成するための画像データである
請求項９乃至１２のいずれか１項に記載の被検体情報取得方法。
【請求項１４】
前記画像データに基づいて画像を表示する表示ステップをさらに含む
請求項１３に記載の被検体情報取得方法。
【発明の詳細な説明】
【技術分野】
【０００１】
本発明は、被検体情報取得装置に関する。
【背景技術】
【０００２】
近年では、レーザーなどの光源から照射した光を生体などの被検体内に伝播させ、その伝播光に基づく信号を検出することで、生体内の情報を得る光イメージング装置の研究が医療分野で積極的に進められている。このような光イメージング技術の一つとして、光音響イメージングが知られている。光音響イメージングとは、光源から発生したパルス光を被検体に照射し、被検体内で伝播・拡散した光のエネルギーを吸収した生体組織から発生した音響波を検出し、被検体内部の光学特性値に関連した情報を可視化する技術である。これにより、被検体内の光学特性値分布、特に光エネルギー吸収密度分布を得ることができる。例えば、上記に用いるパルス光としてヘモグロビンが吸収する波長の光を用いることで、生体内の血管像を非侵襲で画像化することができる。また、それとは異なる波長のパルス光を用いることで、皮膚下のコラーゲンやエラスチンを画像化できる。さらに、造影剤を使用することによって血管像を強調したり、リンパ管を画像化するようにしても良い。
【０００３】
光音響イメージングを用いた３次元可視化技術として代表的なものは以下のようなものである。すなわち、光吸収体から発生した光音響波を２次元平面上に配置された超音波トランスデューサなどを用いて検出し、画像再構成演算を行うことで光学特性値に関連した３次元データを作成する技術である。この３次元可視化技術は光音響トモグラフィー（ＰｈｏｔｏＡｃｏｕｓｔｉｃ  Ｔｏｍｏｇｒａｐｈｙ；ＰＡＴ）と呼ばれる。
さらに、近年、光音響イメージングに関する技術を用いて高い空間分解能で可視化を可能とする装置として光音響顕微鏡が注目されている。光音響顕微鏡は、光学レンズまたは音響レンズを用いることで光や音をフォーカスすることにより、高分解能の画像を取得することが可能である。
【０００４】
しかしながら、ＰＡＴを用いた装置や光音響顕微鏡などの光音響装置は、可視化する深度と空間分解能とがトレードオフになることが知られている。すなわち、ＰＡＴは、生体の深い位置にある組織に係る情報ほど空間分解能が低下するという性質を持っている。この原因としては、生体内で光が拡散しやすいことや、生体内から発生する高周波数の光音響波の減衰が大きいことなどが挙げられる。この性質のため、高い空間分解能を有する光音響顕微鏡は、生体の比較的浅い部分に存在する皮膚内の光吸収体を可視化することが主な用途となる。例えば、光音響顕微鏡によって血中ヘモグロビンを可視化する場合であれば、皮膚の真皮層に存在する血管を可視化することができる。
【０００５】
非特許文献１では、音響レンズを用いることによって小動物の皮膚内部の血管画像を高解像度にイメージングすることが可能な光音響顕微鏡が記載されている。
【先行技術文献】
【非特許文献】
【０００６】
【非特許文献１】Ｋｏｎｓｔａｎｔｉｎ  Ｍａｓｌｏｖ，  Ｇｈｅｏｒｇｈｅ  Ｓｔｏｉｃａ，  Ｌｉｈｏｎｇ  Ｖ．  Ｗａｎｇ，  “Ｉｎ  ｖｉｖｏ  ｄａｒｋ−ｆｉｅｌｄ  ｒｅｆｌｅｃｔｉｏｎ−ｍｏｄｅ  ｐｈｏｔｏａｃｏｕｓｔｉｃ  ｍｉｃｒｏｓｃｏｐｙ”，  ＯＰＴＩＣＳ  ＬＥＴＴＥＲＳ，  Ｍａｒｃｈ  １５，２００５，Ｖｏｌ．３０，Ｎｏ．６．
【発明の概要】
【発明が解決しようとする課題】
【０００７】
光音響顕微鏡によって皮膚内部に存在する血管画像をイメージングする場合、測定領域全域に亘って高解像度の画像を取得するためには、被検体に照射するパルス光の焦点位置が皮膚血管の走行する深さに位置決めされていることが望ましい。
【０００８】
しかしながら、通常、皮膚表面は平らではなく、しわや、くぼみなどの凹凸が存在するため、２次元平面走査によって測定を行う際、皮膚表面の凹凸によって、各測定場所におけるパルス光の焦点の皮膚表面からの深さが異なる。これにより、画像化を行う際に、場所によっては描出したい血管がパルス光の焦点から外れることで、全体として血管走行が不連続に描出されるなどの問題がある。
【０００９】
また、パルス光の焦点位置を３次元領域に亘って網羅的に走査し画像化する方法では、測定時間が２次元平面走査を行う場合よりも大幅に長くなる。そのため、測定時間中に被検体が動くことに起因する画像の歪みを無視できなくなる。これは例えば被検体の血液の酸素飽和度を演算する場合のように、複数波長のパルス光を用いて各波長による測定を順次行う場合に、その精度が悪化する要因になり得る。
【００１０】
この点に関して、例えば非特許文献１に記載された光音響顕微鏡は、皮膚表面の凹凸による画像精度の低下が考慮されていない。
【００１１】
本発明の目的は、上記に鑑み、被検体表面の凹凸を考慮することで、より精度の良い被検体画像を取得できる被検体情報取得装置を提供することにある。
【課題を解決するための手段】
【００１２】
上記課題を解決するための、本発明に係る被検体情報取得装置は、
第１の光を発生する光源と、被検体内の所定の領域に前記第１の光を照射する照射部と、前記第１の光が前記被検体に照射されることにより発生する第１の音響波を検出する音響波検出部とを有する受信部と、前記被検体の表面に第２の光を照射するとともに、前記被検体に前記第２の光が照射されることにより発生する光を受信して前記被検体の表面と前記音響波検出部との距離を測定し、所定の測定範囲における各測定位置に対応する前記距離に基づく３次元領域データを算出する距離算出部と、前記受信部が前記被検体の表面の凹形状または凸形状に沿うように、前記３次元領域データを用いて前記被検体と前記受信部との相対移動を行いつつ前記第１の光の照射及び前記第１の音響波の検出を行う走査部と、前記音響波検出部の検出結果に基づいて前記被検体における前記所定の領域の特性情報を取得する取得部と、を有することを特徴とする。
また、本発明の別形態に係る被検体情報取得装置は、
第１の光を発生する光源と、被検体内の所定の領域に前記第１の光を照射する照射部と、前記第１の光が前記被検体に照射されることにより発生する第１の音響波を検出する音響波検出部とを有する受信部と、前記被検体の表面に第２の光を照射するとともに前記第２の光が照射されることにより前記被検体の表面から発生する第２の音響波を受信し、前記第２の光の照射から前記第２の音響波の受信までの時間に基づいて前記被検体の表面と前記音響波検出部との距離を測定し、所定の測定範囲における各測定位置に対応する前記距離に基づく３次元領域データを算出する距離算出部と、前記受信部が前記被検体の表面の凹形状または凸形状に沿うように、前記３次元領域データを用いて前記被検体と前記受信部との相対移動を行いつつ前記第１の光の照射及び前記第１の音響波の検出を行う走査部と、前記音響波検出部の検出結果に基づいて前記被検体における前記所定の領域の特性情報を取得する取得部と、を有することを特徴とする。
また、本発明に係る被検体情報取得方法は、
被検体内の所定の領域に第１の光を照射する照射部と、前記第１の光が前記被検体に照射されることにより発生する第１の音響波を検出する音響波検出部と、を含む受信部を有する被検体情報取得装置が行う被検体情報取得方法であって、前記被検体の表面に第２の光を照射するとともに、前記被検体に前記第２の光が照射されることにより発生する光を
受信して前記被検体の表面と前記音響波検出部との距離を測定し、所定の測定範囲における各測定位置に対応する前記距離に基づく３次元領域データを算出する距離算出ステップと、前記受信部が前記被検体の表面の凹形状または凸形状に沿うように、前記３次元領域データを用いて前記被検体と前記受信部との相対移動を行いつつ前記第１の光の照射及び前記第１の音響波の検出を行う走査ステップと、前記第１の音響波の検出結果に基づいて前記被検体における前記所定の領域の特性情報を取得する取得ステップと、を含むことを特徴とする。
また、本発明の別形態に係る被検体情報取得方法は、
被検体内の所定の領域に第１の光を照射する照射部と、前記第１の光が前記被検体に照射されることにより発生する第１の音響波を検出する音響波検出部と、を含む受信部を有する被検体情報取得装置が行う被検体情報取得方法であって、前記被検体の表面に第２の光を照射するとともに前記第２の光が照射されることにより前記被検体の表面から発生する第２の音響波を受信し、前記第２の光の照射から前記第２の音響波の受信までの時間に基づいて前記被検体の表面と前記音響波検出部との距離を測定し、所定の測定範囲における各測定位置に対応する前記距離に基づく３次元領域データを算出する距離算出ステップと、前記受信部が前記被検体の表面の凹形状または凸形状に沿うように、前記３次元領域データを用いて前記被検体と前記受信部との相対移動を行いつつ前記第１の光の照射及び前記第１の音響波の検出を行う走査ステップと、前記第１の音響波の検出結果に基づいて前記被検体における前記所定の領域の特性情報を取得する取得ステップと、を含むことを特徴とする。
【発明の効果】
【００１３】
本発明によれば、被検体表面の凹凸を考慮することで、より精度の良い被検体画像を取得できる被検体情報取得装置が提供される。
【図面の簡単な説明】
【００１４】
【図１】本発明の実施の形態に係る被検体情報取得装置の実施例１を示すブロック図
【図２】実施例１における装置の動作を示すタイミングチャート
【図３】実施例１におけるデータ取得プロセスを示すフローチャート
【図４】実施例１におけるデータ取得プロセスの他の一例を示すフローチャート
【図５】本発明の実施の形態に係る被検体情報取得装置の実施例２を示すブロック図
【図６】実施例２における装置の動作を示すタイミングチャート
【図７】実施例２におけるデータ取得プロセスを示すフローチャート
【図８】実施例２におけるデータ取得プロセスの一部を示す模式図
【図９】実施例２における被検体情報取得装置の他の一例を示す模式図
【図１０】本発明の実施の形態に係る被検体情報取得装置の実施例３を示す図
【図１１】実施例３における装置の動作を示すタイミングチャート
【図１２】実施例３におけるデータ取得プロセスを示すフローチャート
【図１３】本発明の実施の形態に係る被検体情報取得装置の実施例４を示す図
【図１４】実施例４におけるデータ取得プロセスを示すフローチャート
【発明を実施するための形態】
【００１５】
以下に図面を参照しつつ、本発明の実施の形態を詳しく説明する。なお、同一の構成要素には原則として同一の参照番号を付して、説明を省略する。ただし、以下に記載されている詳細な演算式、演算手順などは、発明が適用される装置の構成や各種条件により適宜変更されるべきものであり、この発明の範囲を以下の記載に限定する趣旨のものではない。
本発明の被検体情報取得装置である光音響顕微鏡には、被検体に近赤外線等の光（電磁波）を照射することにより被検体内で発生した音響波を受信して、被検体情報を画像データとして取得する光音響効果を利用した装置を含む。
光音響効果を利用した装置では、取得される被検体情報とは、光照射によって生じた音響波の発生源分布、被検体内の初期音圧分布、あるいは初期音圧分布から導かれる光エネルギー吸収密度分布や吸収係数分布、組織を構成する物質の濃度分布を示す。物質の濃度分布とは、例えば、酸素飽和度分布、トータルヘモグロビン濃度分布、酸化・還元ヘモグロビン濃度分布などである。
また、複数位置の被検体情報である特性情報を、２次元または３次元の特性分布として取得してもよい。特性分布は被検体内の特性情報を示す画像データとして生成され得る。
本発明でいう音響波とは、典型的には超音波であり、音波、超音波と呼ばれる弾性波を含む。光音響効果により発生した音響波のことを、光音響波または光超音波と呼ぶ。
【００１６】
＜実施例１＞
本実施例では、被検体情報取得装置の一例として、超音波フォーカス型の光音響顕微鏡について説明する。本実施例において、超音波フォーカス型の光音響顕微鏡とは、超音波の焦点領域に対して、パルス光の焦点領域（光焦点領域に対応する）の方が広くなるような構成を持つ光音響顕微鏡を意味する。しかしこれに限られず、本発明は、超音波の焦点領域よりもパルス光の焦点領域の方が小さくなるような構成を有する光フォーカス型の光音響顕微鏡にも適用可能である。
【００１７】
≪装置の全体構成について≫
図１は、本発明の実施の形態に係る被検体情報取得装置の実施例１を示すブロック図である。実施例１の被検体情報取得装置１００（以下「装置１００」と略称する）の全体構成について説明する。
【００１８】
パルス光源１０１は、測定制御部１０２（走査部に対応する）の制御によりパルス光を発光する。パルス光は、光ファイバ１０３を通り、被検体１１２である生体に励起光を照射するための光学系に導光される。本実施例においては、この光学系はレンズ１０５、ビームスプリッタ１０６、コニカルレンズ１０７、およびレンズ１０８を含む。光ファイバ１０３から出たパルス光１０４は、レンズ１０５でコリメートされ、コリメートされたパルス光の一部はビームスプリッタ１０６を透過するとともに、他の一部はビームスプリッタ１０６により反射される。ビームスプリッタ１０６を透過したパルス光は、コニカルレンズ１０７によって円環状に広げられて、ミラー１１１（照射部に対応する）に入射する
。一方、ビームスプリッタ１０６で反射されたパルス光は、レンズ１０８で集光されて、フォトディテクタ１０９によって検出される。
【００１９】
データ収集部データ収集部（Ｄａｔａ  ＡｃＱｕｉｓｉｔｉｏｎ；ＤＡＱ部）１１０は、フォトディテクタ１０９がパルス光を検出することによって出力した電気信号をＡ／Ｄ変換してデジタル信号を生成する。そして、ＤＡＱ部１１０は、そのデジタル信号をＤＡＱ部の内部メモリに蓄積する。このようにして蓄積されたデジタル信号は、被検体１１２にパルス光を照射することにより発生する光音響波の受信結果である光音響信号の光量変動に起因する誤差を補正するのに使用することができる。さらに、光音響波の測定タイミングを決めるトリガー信号として使用することもできる。
【００２０】
コニカルレンズ１０７は、パルス光１０４を円環状に広げる。ミラー１１１は、その円環状に広げられたパルス光１０４を反射することにより集光する。ミラー１１１は、例えばガラスのような透明部材を母材として、ミラー１１１とミラー１１１の外部（空気や、後述する水など）との境界でパルス光１０４を反射するように構成される。また、ミラー１１１では、ミラー１１１の周囲に金属膜を蒸着するなどして、光の反射率を高めてもよい。集光された光の焦点の位置は、光音響波の測定時は被検体１１２の内部に来るように設定する。このとき、パルス光１０４は、円環状を保って集光されるため、光の焦点の直上の被検体１１２の表面においては直接照射されない。本実施例において、レンズ１０５、コニカルレンズ１０７、およびミラー１１１は、パルス光１０４を被検体１１２に導く光学部として機能する。
【００２１】
被検体１１２の内部で拡散したパルス光は、被検体内部の血液などの光吸収体１１３に吸収される。光吸収体１１３は、その種類によって固有の光の吸収係数を持つ。光吸収体１１２は、光を吸収することで光音響波１１４を発生させる。トランスデューサ１１５（音響波検出部に対応する）は、ミラー１１１の中心付近に設置されるとともに光音響波１１４を検出して、その音圧強度変化が電気信号（検出結果に対応する）に変換される。トランスデューサ１１５は、例えば超音波の周波数帯域に感度を持つ超音波トランスデューサである。トランスデューサ１１５は、音響レンズを備えていてもよい。本実施例では、トランスデューサ１１５が音響レンズを備えるようにした。そうすることにより、その音響レンズ自身により形成される焦点の位置から発生した音波を集音して感度良く検出することができる。トランスデューサ１１５では、この音響レンズの焦点（音響焦点領域に対応する）をミラー１１１により集光されたパルス光の焦点位置である所定の位置に設定することで、パルス光の焦点位置から発生した音波を感度良く検出できる。なお、本実施例では受信部１２３は、ミラー１１１と、トランスデューサ１１５とが一体化されて成る。
【００２２】
なお、トランスデューサ１１５と被検体１１２との間には、水槽１１６に溜められた水が存在し、これによりトランスデューサ１１５と被検体１１２との音響インピーダンスマッチングが図られている。水槽１１６に溜められる音響インピーダンスマッチング材は水に限られず、他の物質を含んでもよい。また、水槽１１６底部と被検体１１２との間には、ジェル状の音響インピーダンスマッチング材を塗布してもよい。
【００２３】
パルサーレシーバー１１７は、信号増幅器を有しているとともにトランスデューサ１１５によって得られた電気信号を入力してその電気信号の強度を信号増幅器により増幅する。ＤＡＱ部１１０は、信号増幅器により増幅された電気信号を入力してその電気信号をＡ／Ｄ変換によりデジタル信号に変換する。ＤＡＱ部は、内部メモリを有しており、変換後のデジタル信号をその内部メモリにデータとして蓄積する。信号処理部１１８は、ＤＡＱ部１１０に蓄積されたデータを信号処理する。画像処理部１１９は、信号処理部１１８による信号処理結果に基づいて画像処理を行う。表示部１２０は、画像処理部１１９からの画像処理結果に基づいて画像データとして表示する。なお、信号処理部１１８および画像
処理部１１９を一体の処理部として構成してもよい。
【００２４】
本実施例において、一点鎖線で囲われた部材１２１は、３次元状に走査可能な可動ステージ（不図示）に載置されている。可動ステージは、被検体１１２に対して３次元状に移動することで、被検体１１２にパルス光１０４が集光されてなる焦点とトランスデューサ１１５の焦点の位置を移動する。３次元走査した各測定位置において光音響波を検出することで、被検体内の光音響信号データを取得することができる。なお、これに限られず、被検体１１２を可動ステージに対して３次元上に移動することでパルス光１０４の焦点とトランスデューサ１１５の焦点の位置を被検体１１２内で移動するようにしてもよい。
また、本実施例は、被検体１１２の受信部側の表面とトランスデューサ１１５までの距離を測定する。そうすることで、被検体１１２の表面のパルス光を被検体１１２に導光する光学系の光軸方向（ここではレンズ１０５の光軸方向であり、Ｚ軸方向と同一の方向）のその現時点の距離（測定結果に対応する）における座標を算出する。そして、その座標をもとに各光音響信号の測定位置における当該光軸方向のトランスデューサの座標を決定する機構を備えている。
【００２５】
パルサーレシーバー１１７では、測定制御部１０２で生成されるトリガー信号に基づいて被検体１１２に対して弾性波を送信する指示をトランスデューサ１１５に出す。トランスデューサ１１５は、その指示信号を入力して被検体１１２に弾性波を送信する。そして、トランスデューサ１１５は、被検体表面で反射した弾性波を受信して電気信号に変換するとともにその信号強度を増幅してＤＡＱ部に送出する。ＤＡＱ部では、その送出された信号をデジタル信号に変換して被検体表面距離算出部１２２に送出する。
【００２６】
被検体表面距離算出部１２２では、ＤＡＱ部から送出された信号が測定制御部１０２で生成されたトリガー信号からどれだけ遅延したかを示す遅延時間を用いて、被検体１１２の表面とトランスデューサ１１５の距離を算出する。その距離から、可動ステージの位置決めのために用いられる座標系における座標である被検体表面のしわ、吹き出物、くぼみなどの凹形状や凸形状を反映したＺ軸方向の座標を算出する。そして、測定制御部１０２では、被検体表面の凹凸形状を反映したＺ軸方向の座標情報に基づいて光音響信号の各測定位置におけるＺ軸方向のトランスデューサ１１５（または可動ステージ（不図示））の座標を決定する。そして、測定制御部１０２は、光音響測定時には決定された座標情報にしたがって可動ステージ（不図示）をその決定された座標に位置させるように制御する。このようにして、本実施例における可動ステージは、被検体表面の凹凸形状を反映した２次元曲面上を移動しながら測定を行う。すなわち、本実施例における可動ステージは、被検体の表面の凹形状または凸形状に追従して移動しながら測定を行う。なお、被検体表面のＺ軸方向の座標の算出方法や、その算出値に基づいた各測定位置におけるトランスデューサ１１５のＺ軸方向の座標の決定の仕方については後で詳述する。また、測定制御部１０２は、パルス光の発光タイミング制御や、可動ステージ（不図示）の制御、ＤＡＱ部１１０のデータサンプリングに関する制御等を行う。
【００２７】
なお、上記で説明した構成では、パルス光１０４の焦点領域（一方に対応する）は、トランスデューサ１１５に具備された音響レンズの超音波焦点（他方に対応する）を包含する構成を例示した。しかしこれに限られず、光フォーカス型の光音響顕微鏡のように、この関係性が逆になっている構成でもよい。すなわち、対物レンズなどを用いてパルス光１０４をフォーカスした焦点領域が、トランスデューサ１１５の音響レンズの超音波焦点の領域に包含される構成になっていても良い。すなわち、光フォーカス型の光音響顕微鏡を用いることで、光の焦点の大きさが光音響顕微鏡の解像度を決定するため、より高解像度の光音響画像を取得することが可能になる。
【００２８】
≪動作タイミング≫
図２は、実施例１における装置の動作を示すタイミングチャートである。測定制御部１０２で生成されるトリガー信号２０１は、ここではパルス信号である。測定制御部１０２は、光音響波測定位置トリガー信号２０１を生成する。トリガー信号２０１の立ち上がりのタイミングは、前述した可動ステージ（不図示）の走査に伴って、トランスデューサ１１５の音響レンズの焦点がユーザー側で予め設定する光音響測定の測定位置を通過するタイミングである。なお、ユーザー側で予め測定位置を設定する際には、実際に測定が実行される２次元曲面上の測定点を、パルス光の光軸（図１のＺ軸）と直交する可動ステージの二つの軸（図１のＸ軸、Ｙ軸）で構成される２次元平面上に投影した点を指定する。
【００２９】
具体的には、この２次元平面上における測定ピッチや、測定範囲を指定する。被検体距離測定トリガー信号２０２は、トリガー信号２０１を基準として生成される。トリガー信号２０２は、被検体表面距離を測定するためにトランスデューサ１１５から送信する弾性波の送信タイミングを決めるものである。なお、トリガー信号２０２は、トリガー信号２０１に同期して発生してもよいし、本実施例のように一定の時間のずれがあってもよい。すなわち、被検体表面距離測定は必ずしも光音響測定位置と同じ個所で行われる必要はない。反射弾性波２０３は、トランスデューサ１１５から送信された弾性波の被検体１１２の表面における反射弾性波である。反射弾性波２０３は、トリガー信号２０２に対して、被検体１１２の表面とトランスデューサ１１５のセンサ面との距離に応じて、遅延時間２０４を生じる。後述するように、被検体表面距離算出部１２２では、遅延時間２０４に基づいて、被検体表面までの距離を算出する。パルス光発光トリガー信号２０５は、光音響信号の測定開始と同期している信号である。このトリガー信号２０５は、光音響測定位置トリガー信号２０１と同期している。光音響波２０６は、トリガー信号２０５に示すタイミングでパルス光源１０１から発せられるパルス光によって被検体内部で励起されてトランスデューサ１１５に到達した光音響波を示している。
【００３０】
トランスデューサ１１５に検出される光音響波２０６は、パルス光源１０１の発光タイミングに対して、光音響波の発生源からトランスデューサ１１５に到達するまでの時間分の遅延をもつ。サンプリングタイミング２０７は、トランスデューサ１１５に到達した光音響波を測定するタイミングを規定するものである。信号２０５に対して遅延した時刻からサンプリングを開始し、光音響波の最大、最小のピークを少なくとも含む時間幅に亘ってサンプリングを行う。ただし、ＤＡＱ部１１０のメモリが十分あるならば、サンプリング開始時刻を遅延せずにパルス光源１０１の発光に同期してサンプリングを開始しても良い。また、測定サンプリング周波数は、発生する光音響波の主周波数に対して少なくとも二倍以上で可能な限り十分大きな周波数に設定することが望ましい。
【００３１】
なお、上記では被検体距離測定のためのトリガー信号２０２はトリガー信号２０１に対して一定の時間ずれがあっても良いとした。すなわち、この時間ずれは反射弾性波２０３と光音響波２０６とがトランスデューサ１１５に到達する時刻が重複しないように設定されている。また、上記の動作タイミングは可動ステージ（不図示）の走査が停止せずに連続的に行われる場合について述べた。しかしこれに限られず、可動ステージが光音響測定を実行する位置ごとや、被検体距離測定ごとに停止する走査方法でも各測定を行うことができる。
【００３２】
≪データ取得プロセス≫
図３は、実施例１におけるデータ取得プロセスを示すフローチャートである。上記で説明した装置１００を用いて、被検体１１２内部から発生した光音響信号を取得し、画像表示する方法について図３を参照しつつ具体的に説明する。
【００３３】
ステップＳ３０１では、超音波フォーカス型の光音響顕微鏡である装置１００で光音響画像を測定する被検体１１２を設置、固定しておく。このとき、測定中に被検体１１２が
動かないように適宜麻酔をかけるなどの処置を行う。ステップＳ３０２では、測定制御部１０２が超音波トランスデューサ１１５をＺ軸方向に移動させることにより音響焦点の被検体１１２内部の深さの初期調整を行う。前述したように、通常、パルス光の焦点が被検体内部の深い位置にあるほど鮮明な画像化が困難になる。光音響波が被検体内部組織により散乱や減衰したり、或いはパルス光１０４の被検体内部における拡散するからである。したがって、超音波トランスデューサ１１５の音響焦点の被検体１１２内部の深さは、この特性を考慮して被検体１１２の光学特性や音響特性に合わせて実験的に設定する。
【００３４】
ステップＳ３０３では、測定制御部１０２から各機能ブロックを動作させるための、測定パラメータの設定をする。測定パラメータの一つとして光音響信号を取得する測定位置に関しては、前述したように、図１のＹ軸、Ｘ軸から成る２次元平面に投影した測定ピッチ、測定範囲を操作者が手入力等により指定する。この測定範囲とは、例えば被検体の表面をＸＹ平面上に投影した領域であって、その領域を格子状の区画に分割してなる領域の一つ一つであっても良い。この時、測定ピッチとは、各格子におけるＸＹ座標間のピッチとしても良い。測定パラメータの他のものとしては、１箇所あたりの光音響信号の保存サンプリング周波数、保存時間、自動ステージの走査速度、加速度、パルス光源１０１の発光周波数、光量、波長などである。
【００３５】
ステップＳ３０４では、被検体１１２の表面とトランスデューサ１１５までの距離を測定することで、被検体表面のパルス光を被検体１１２に導光する光学系のＺ軸方向の座標を算出する。なお、ここでいう被検体１１２の表面とはトランスデューサ１１５と対向する位置にある表面のことである。具体的には下記の方法によって実行する。
【００３６】
初めに、パルサーレシーバー１１７が、測定制御部１０２で生成される被検体距離測定トリガー信号２０２に基づいて被検体１１２に対して弾性波を送信する指示をトランスデューサ１１５に出す。トランスデューサ１１５は、被検体表面で反射した弾性波を受信して電気信号を出力し、パルサーレシーバー１１７は、その出力信号の強度を増幅する。ＤＡＱ部では、その増幅された信号をデジタル信号に変換して、被検体表面距離算出部１２２に送られる。被検体表面距離算出部１２２では、送られたデジタル信号の被検体距離測定トリガー信号２０２に対する遅延時間２０４に基づいて、被検体１１２の表面とトランスデューサ１１５との距離を算出する。そして、被検体表面距離算出部１２２では、パルス光の焦点とトランスデューサ１１５のセンサ面との既知の距離を考慮して、被検体表面とパルス光１０４の焦点位置との距離を算出する。
【００３７】
ここで、遅延時間２０４をΔｔ［ｓ］、水槽１１６内の水中でのトランスデューサ１１５から送信される弾性波の速度をν［ｍｍ／ｓ］とする。また、可動ステージの位置決めのための座標系における、被検体表面距離測定時の可動ステージのＺ軸方向の座標をＺｓｔ＿ｓ［ｍｍ］とする。このとき、上記位置決めのための座標系における、被検体表面のＺ軸方向の座標Ｚｓ［ｍｍ］をＺｓ＝Ｚｓｔ＿ｓ−（（Δｔ）／２）＊ν・・・（１）の式を用いて算出する。なお、水中内の弾性波速度νは水温に依存する。そのため、水槽１１６内の水温を温度計で測定しておき、その測定値から速度νを決定してもよい。また、ここでは遅延時間２０４は弾性波が水中を伝搬する時間が大半を占めており、トランスデューサ１１５の内部を伝搬する時間は無視できるとしている。トランスデューサ１１５の内部を伝搬する時間を無視できない場合には、式（１）の代わりに弾性波がトランスデューサ１１５の内部を伝搬する時間および速度を考慮した式を用いればよく、後の処理は式（１）を使用した場合と同様に行うことができる。
【００３８】
また、ここではトランスデューサ１１５の音響レンズの中心軸と、パルス光１０４を被検体１１２に導光する光学系の光軸が平行である場合を仮定している。平行でない場合は、二つの軸の傾きを考慮して式（１）を補正することでこの後の処理も同様にして成立す
る。なお、ここで述べた座標Ｚｓ［ｍｍ］は、可動ステージの座標系における被検体表面の実際の座標から定ベクトル分平行移動したものであり、今後の議論に影響を及ぼさないため、ここではこの座標を用いて議論をする。すなわち、可動ステージの座標系における被検体表面の実際の座標は、基準となる一定値Ｚｃｏｎｓｔに、演算結果である座標Ｚｓを加算してなる座標（Ｚｃｏｎｓｔ＋Ｚｓ）である。しかし、基準となる一定値Ｚｃｏｎｓｔはどの位置を選択しても良いので、一定値Ｚｃｏｎｓｔは０としても特に問題はない。すなわち、被検体表面の実際の座標（Ｚｃｏｎｓｔ＋Ｚｓ）から定ベクトルＺｃｏｎｓｔ分平行移動したものである。
【００３９】
ステップＳ３０５では、ステップＳ３０４で算出した座標Ｚｓ［ｍｍ］に基づいて、測定制御部１０２で、次に光音響信号を取得する測定位置における可動ステージのＺ軸方向の座標Ｚｓｔ＿ｐａ［ｍｍ］を決定する。これは、Ｌｆ１−（Ｚｓｔ＿ｐａ−Ｚｓ＿ｂａｒ）＝Δ・・・（２）を満たすように決定する。ここで、Ｌｆ１［ｍｍ］、Δ［ｍｍ］、Ｚｓ＿ｂａｒ［ｍｍ］は既知の値である。Ｌｆ１［ｍｍ］はトランスデューサ１１５の音響レンズの焦点とトランスデューサ１１５のセンサ面との距離である。また、Δ［ｍｍ］は被検体表面と音響レンズとの焦点の距離であり、ユーザーが予め測定したい対象が存在する被検体表面下の位置に応じて設定することができる。特にヒトの表皮下の血管や毛細血管内の血液を画像化の対象として光音響測定を行う場合は、０．０５〜０．２［ｍｍ］程度に設定する。またＺｓ＿ｂａｒ［ｍｍ］は次の光音響信号の測定位置における、Ｚｓ［ｍｍ］の近似値を表しており、この演算方法としては以下の方法を用いることができる。すなわち、第１の方法は、次の光音響測定を行う測定位置に最も近い位置で測定した座標ＺｓをＺｓ＿ｂａｒの値として設定するものである。第２の方法は、次の光音響測定を行う測定位置に近い複数の位置で測定した座標Ｚｓの線形補間値をＺｓ＿ｂａｒの値として設定するものである。第３の方法は、次の光音響測定を行う測定位置に近い複数の位置で測定した座標Ｚｓの非線形補間値をＺｓ＿ｂａｒの値として設定するものである。
【００４０】
ステップＳ３０６では、次の光音響信号の測定位置に移動する。まず被検体表面と平行な方向（ＸＹ方向）に部材１２１を移動する。そうすることでトランスデューサ１１５を次の測定位置のＸＹ軸方向位置まで移動する。そして、その移動後のＸＹ平面上の位置においてステップＳ３０５で決定した次の光音響信号の測定位置におけるＺ軸方向のステージの座標を参照してステージをＺ軸方向に移動する。そうすることでトランスデューサ１１５を次の測定位置へと移動させる。
【００４１】
ステップＳ３０７では、光音響信号の測定を行う。光音響信号の測定は次の順序で実行される。パルス光源１０１が、測定制御部１０２で生成されるパルス光発光トリガー信号２０５に基づいてパルス光を被検体１１２に照射する。その照射に基づいて発生した光音響波１１４をトランスデューサ１１５が受信する。受信した光音響波の音圧はトランスデューサ１１５によって電気信号に変換される。この電気信号は、パルサーレシーバー１１７で増幅される。その後、パルサーレシーバー１１７で増幅されてなる電気信号は、ＤＡＱ部１１０でＡ／Ｄ変換され、このＡ／Ｄ変換されてなるデジタル信号がＤＡＱ部１１０の内部メモリに蓄積される。そして、ＤＡＱ部１１０に蓄積されたデータは信号処理部１１８に送られる。
【００４２】
ステップＳ３０８では、ステップＳ３０３で設定したＸＹ方向における各測定範囲の全ての測定を終了したかどうかを判断する。もし、終了していなければ次の被検体表面距離を測定する測定範囲までＸＹ方向にステージを移動する。そして、再度ステップＳ３０４において被検体表面距離を測定し、その後Ｚ方向に移動してその測定範囲において再度光音響測定を行う。被検体距離測定のステップＳ３０４から光音響測定の終了判断のステップＳ３０８までを順次行い、すべての測定が終了するまで繰り返す。
【００４３】
ステップＳ３０８で、すべての測定範囲における測定を終えたと判断した場合、ステップＳ３０９を実行する。ここでは、信号処理部１１８が、各測定範囲で取得した光音響信号に基づく電気信号の信号処理を行う。信号処理の具体的な内容としては、パルス光源１０１のパルス幅を考慮したデコンボリューションや、包絡線検波などである。また、予め信号に付加されるノイズに特徴的な周波数が分かっており、これを光音響信号の主たる周波数と分離できる場合には、ノイズに起因する特定の周波数成分を除去するようにしても良い。また、被検体１１２の表面や水槽１１６の底部などで反射することで光音響波の音源から直接伝達された波に対しては以下のような処理を行うようにしても良い。すなわち、そのようにして遅延してトランスデューサ１１５に到達した光音響波による成分などは、ノイズとなりやすい。よって、信号処理により画像を形成する（画像再構成）のに用いるための信号からこのような光音響波によるノイズ成分を除去するようにしても良い。また、被検体１１２の表面で発生した光音響波の成分が顕著である場合には、それをこのステップＳ３０８において削除するようにしても良い。
【００４４】
ステップＳ３１０は、画像処理を行うステップである。画像処理部１１９は、ステップＳ３０９で、信号処理を行ってなる処理後の光音響信号の、可動ステージ走査面における位置および被検体の深さ方向の信号強度分布をもとにボクセルデータを作成する。そのボクセルデータに基づいて可視化するための画像データを生成する。このとき、既知のアーティファクトがあればボクセルデータから除去してもよい。また、例えば被検体内の光吸収体の酸素飽和度を算出する場合などに、複数のパルス光の波長で取得した光音響信号強度のボクセルデータから、酸素飽和度値を格納したボクセルデータを作成しておくようにしても良い。この他にも、被検体内の血中ヘモグロビンを主な光吸収体とするためにパルス光の波長を設定して測定を行った場合に、例えば取得したボクセルデータから血管の画像を二値化し抽出するようにしても良い。
【００４５】
なお、このステップＳ３１０では、ステップＳ３０５において決定された、各光音響測定位置のＺ軸方向のステージ座標（各測定範囲のＺ軸方向のステージ座標）をボクセルデータに反映し、画像化するようにしても良い。すなわち、ステップＳ３０７で測定した光音響信号のみを用いて画像データを作成すると、被検体表面の凹凸形状は画像データには反映されない。そのため、必要に応じて、被検体表面の凹凸形状の測定に基づいて決定したＺ軸方向のステージ座標情報をボクセルデータに反映させることで、被検体表面の実際の形状を表現することができる。
【００４６】
ステップＳ３１１は、ステップＳ３１０で光音響信号の強度分布から作成されたボクセルデータを、ユーザーの希望する表示方法で表示するステップである。表示方法として、例えば、Ｘ軸、Ｙ軸、Ｚ軸のそれぞれに垂直な断面を表示する方法や、各軸の方向についてのボクセルデータの最大値、最小値または平均値の２次元分布として表示する方法を用いることができる。また、ユーザーがボクセルデータ内でＲＯＩ（注目領域）を設定して、その領域内の吸収体の形状に関する統計的な情報や、酸素飽和度情報を表示するようにユーザーインターフェースのプログラムが構成されていても良い。
【００４７】
図４は、実施例１におけるデータ取得プロセスの他の一例を示すフローチャートである。上記で説明したフローにおいては、各測定位置において被検体距離測定を実行し、逐一、次の光音響測定位置におけるＺ軸方向のステージの座標を決定した。しかし、予め、光音響測定を行う全領域である全測定範囲に亘って座標Ｚｓをまとめて測定し、各々の位置のＺ軸方向のステージの座標をまとめて決定してから、まとめて光音響測定を行ってもよい。
【００４８】
ここで、測定パラメータの設定までは図３と同様であるため説明を省略する。その後ステップＳ４０１で、ステップＳ３０３で設定した光音響測定を行う領域の全測定範囲に亘
って、座標Ｚｓ［ｍｍ］（可動ステージの位置決めのための座標系における座標）を測定する。算出には上記の式（１）を用いる。このとき、光音響測定は実行されない。したがって被検体１１２に対してパルス光の照射がされないか、または、単位時間当たりの光エネルギー密度が実際の光音響測定よりも小さく設定されているようにする。
【００４９】
ステップＳ４０２では、ステップＳ４０１で得られた被検体表面のＺ軸方向の座標分布情報に基づいて、上記等式（２）を用いて、光音響測定を行う各測定範囲におけるＺ軸方向のステージ座標Ｚｓｔ＿ｐａ［ｍｍ］を決定する。ステップＳ４０３では、ステップＳ４０２の決定値に基づいて、測定領域の全域である全測定範囲に亘って光音響測定を実行する。その後の信号処理、画像処理、表示のフローについては図３と同様のためその説明を省略する。
【００５０】
＜その他＞
上記で説明した実施例の構成及び動作は、例示的なものであり、変更を加えることができる。例えば、被検体１１２へ照射するパルス光１０４は、被検体１１２を構成する成分のうち特定の成分に吸収される特性の波長の光を用いるようにしても良い。パルス光１０４のパルス幅は、数ピコから数百ナノ秒オーダーのものであり、被検体１１２が生体の場合には数ナノから数十ナノ秒のパルス光を採用することが好ましい。パルス光１０４を発生するパルス光源１０１としてはレーザーが好ましいが、レーザーの代わりに発光ダイオードやフラッシュランプなどを用いるようにしても良い。パルス光源１０１のレーザーとしては、固体レーザー、ガスレーザー、色素レーザー、半導体レーザーなど様々なレーザーを使用することができる。発振する波長の変換可能な色素やＯＰＯ（Ｏｐｔｉｃａｌ  Ｐａｒａｍｅｔｒｉｃ  Ｏｓｃｉｌｌａｔｏｒｓ）を用いれば、光学特性値分布の波長による違いを測定することも可能になる。パルス光源１０１の波長に関しては、４００ｎｍから１６００ｎｍの波長領域、さらにはテラヘルツ波、マイクロ波、ラジオ波領域も使用できる。なお、パルス光１０４として、複数の波長の光を用いた場合は、それぞれの波長に関して、生体内の光学特性に関する係数を算出し、それらの値と生体組織を構成する物質（グルコース、コラーゲン、酸化・還元ヘモグロビンなど）固有の波長依存性とを比較する。これによって、生体を構成する物質の濃度分布を画像化するようにしても良い。
【００５１】
なお、本実施例では可動ステージ（不図示）によって光音響信号を受信するトランスデューサ１１５やパルス光１０４の焦点位置をＸＹ方向移動をベースとして位置合わせのためにＺ方向にも移動するようにした。しかし、少なくとも一つの方向の機械的移動に換えて、ガルバノミラーを用いて光の方向を変えることにより機械的に移動したのと同様の効果を得ることができるようにしても良い。また、パルス光を被検体１１２に導光する光学系を部分的に動かすことで同様の効果を得るようにしても良い。また、本実施例では被検体１１２の表面で反射した弾性波を参照して、被検体表面までの距離を測定して可動ステージのＺ軸方向の座標を制御するようにした。しかしながら、被検体内部に音響インピーダンスの異なる層が存在する場合、被検体内部のそれらの層の境界面からの反射弾性波を参照して、可動ステージの制御を行うようにしても良い。例えば、被検体として動物の皮膚を対象とする場合、皮膚は、表皮、真皮、皮下脂肪などの音響インピーダンスのそれぞれ異なる層から構成されている。したがって、この場合、皮膚表面の形状を参照するのではなく、皮膚内部の表皮と真皮の境界面や、真皮と皮下脂肪の境界面の形状を参照して、ステージのＺ軸方向の座標制御を行うようにしても良い。
【００５２】
上記の被検体情報取得装置を用いることで、被検体表面の凹凸を考慮した測定を行うことができ、測定領域全域に亘って高解像度な画像を取得することが可能になる。
【００５３】
＜実施例２＞
図５は、本発明の実施の形態に係る被検体情報取得装置の実施例２を示すブロック図で
あり、実施例１と共通の構成については同一の番号を付して説明を省略する。以下、実施例２の被検体情報取得装置２００（以下「装置２００」と略称する）の全体構成について説明する。本実施例は、被検体表面の凹凸形状の測定方法として実施例１とは別の方法を採用したものである。
【００５４】
≪全体構成の説明≫
本実施例では被検体表面の凹凸形状の測定方法として、トランスデューサ１１５から送信する弾性波ではなく、光学手段を用いた測長方法を用いるようにした。光学測長部５０１は光学手段を有しており、トランスデューサ１１５に隣接して備えられている。光学測長部５０１は、部材１２１の枠線で囲われたパルス光１０４を被検体１１２に導光するための光学系やトランスデューサ１１５とともに、実施例１と同様に３次元状に走査可能な可動ステージ（不図示）に載置されている。被検体表面距離算出部５０２は、光学測長部５０１で取得された被検体１１２と光学測長部５０１のセンサとの距離情報を入力し、実施例１と同様に、被検体１１２の表面の凹凸形状を反映したＺ軸方向の座標を算出する。測定制御部１０２では、算出された被検体表面の凹凸形状の分布情報をもとに、光音響測定を行う各位置における可動ステージの当該光軸方向の座標を決定し、その決定値に従ってステージを制御する。また、本実施例においては、信号増幅器５０３は、トランスデューサ１１５で光音響波１１４が受信されるとともにその受信結果として出力される電気信号の信号強度を増幅する。その他の構成要素については実施例１と同様であるため、ここでは説明を省略する。
【００５５】
なお、上記では光学測長部５０１はトランスデューサ１１５に隣接して備えられるようにし、トランスデューサ１１５と、光学測長部５０１と、ミラー１１１とが一体化されて受信部５１２３を構成する。しかしこれに限られず、測長部５０１のみ別途上記で説明したものとは異なる２次元状あるいは３次元状に走査可能な可動ステージに載置されていてもよい。ただし、この場合は、トランスデューサ１１５が載置されている可動ステージと光学測長部が載置されている可動ステージは同じ座標系に基づいてステージ位置が制御されていることが望ましい。これによって、トランスデューサ１１５で信号を取得する位置と、光学測長部５０１で測定する位置とが対応可能なように構成される。また、光学測長部５０１としては、レーザーを用いた変位計や形状測定機、カメラなどのオートフォーカス機能を用いた測長手段などを用いるようにしても良い。また、図５に示すように、トランスデューサ１１５に隣接して光学測長部５０１の本体が載置されている必要はなく、被検体１１２までの距離を測定するための光学系の一部が載置されるようにしても良い。例えばレーザーを用いた変位計のレーザーを反射するためのミラーのみが載置されるようにしても良い。
【００５６】
≪動作タイミング≫
図６は、実施例２における装置の動作を示すタイミングチャートである。光音響信号の測定については実施例１と同様のためここでは説明を省略し、光学測長部５０１による被検体表面までの距離測定のタイミングについて述べる。まず、光学測長部５０１で測長のために用いる光の波長領域と、光音響測定に用いる光であって、パルス光源１０１で発せられる光の波長領域と少なくとも一部が重複している場合について述べる。この場合、光音響波測定位置トリガー信号２０１とパルス光発光トリガー信号２０５に対して時間６０２の分だけずらした被検体表面距離測定用トリガー信号６０１の立ち上がりのタイミングで被検体距離測定を行う。時間６０２はトリガー信号２０５の立ち上がりのタイミングで発生するパルス光のパルス幅よりも長い。これにより、光学測長部５０１による光学測定と光音響測定が互いに影響を与えることを回避できる。ただし、トリガー信号２０５が生成されないタイミング、すなわち光音響波測定が実行されないタイミングについては、時間６０２を設ける必要はなく、光音響波測定位置トリガー信号２０１と同期していてもよい。次に、光学測長部５０１で測長のために用いる光の波長領域が、パルス光源１０１で
用いる光の波長領域と重ならない場合は、光学測長部５０１による光学測定と光音響測定が同時に実行されても互いに影響を与えることはない。したがって、時間６０２を設ける必要はなく、光音響波測定位置トリガー信号２０１やパルス光発光トリガー信号２０５と同期していてもよい。
【００５７】
≪データ取得プロセス≫
図７は、実施例２におけるデータ取得プロセスを示すフローチャートである。本実施例においては、実施例１とは異なり、被検体１１２の表面の凹凸形状を測定するための光学測長部５０１と、光音響波を受信するトランスデューサ１１５が空間的に異なる位置に備えられている。そのため、光音響測定を行う測定ピッチが光学測長部５０１とトランスデューサ１１５の距離よりも小さい場合、被検体表面距離測定を行った直後に、その結果に応じて光音響測定を行うという測定プロセスを踏むことはできない。よって、以下のようなプロセスでデータ取得を行う。ここでは、ステップＳ３０１からＳ３０３までは実施例１と同様のため説明を省略する。
【００５８】
ステップＳ７０１では、光学測長部５０１によって、ステップＳ３０３で設定した光音響測定を行う測定範囲について被検体表面の距離測定を実行する。本実施例においては光学的手段を用いるため被検体表面の凹凸形状を表す座標Ｚｓ［ｍｍ］を算出する際に、実施例１で説明した式（１）ではなくＺｓ＝Ｚｓｔ＿ｓ−Ｌｓ・・・（３）の式を用いる。ただし、式（２）と同様に、被検体表面測定時の可動ステージのＺ軸方向の座標をＺｓｔ＿ｓ［ｍｍ］とする。ここで、Ｌｓ［ｍｍ］は光学測長部５０１の測定原点から被検体１１２の表面までの距離であり、Ｌｓ［ｍｍ］には光学測長部５０１による測定値を代入するようにする。なお、ここではパルス光１０４を被検体に導光する光学系の光軸と、光学測長部５０１の光軸が平行（ともにＺ軸と平行な方向）である場合を仮定している。平行でない場合は、二つの軸の傾きを考慮して式（３）を補正することでこの後の処理も同様にして成立する。
【００５９】
ステップＳ７０２では、ステップＳ７０１で算出したＺｓに基づいて、測定制御部１０２において、光音響測定を行う位置における可動ステージのＺ軸方向の座標Ｚｓｔ＿ｐａ［ｍｍ］を決定する。そして、本実施例ではＬｆ２−（Ｚｓｔ＿ｐａ−Ｚｓ＿ｂａｒ）＝Δ・・・（４）を用いて、Ｚｓｔ＿ｐａを求めるようにする。ここで、Δ［ｍｍ］、Ｚｓ＿ｂａｒ［ｍｍ］は実施例１で説明した値と同様である。Ｌｆ２［ｍｍ］は、光学測長部５０１の測定原点から、トランスデューサ１１５の音響レンズの焦点のＺ軸方向の座標を含む平面までの距離であり、既知の値である。
【００６０】
図８は、実施例２におけるデータ取得プロセスの一部を示す模式図である。図８を用いて上記ステップＳ７０１、ステップＳ７０２について詳しく説明する。図８は、被検体表面の測定領域、光学測長部５０１による測定位置、およびトランスデューサ１１５による光音響測定を行う位置を、被検体表面の測定領域と対向する位置から見たものである。全体領域８０１に含まれる格子点８０２のそれぞれは、光音響測定を行う位置を示している。この測定領域、及び光音響測定する位置はステップＳ３０３でユーザーによって設定される。ミラー１１１は、パルス光１０４を反射し被検体内部に集光するものであり、トランスデューサ１１５は、音響レンズの焦点位置８０３である白丸から発生する光音響波を受信する。光学測長部５０１による被検体表面上の測長位置８０４は黒丸で示している。光学測長部５０１では、被検体表面のこの測長位置８０４における図８の紙面垂直方向の距離を測定する。走査方向８０５は可動ステージの走査方向を示している。すなわち、トランスデューサ１１５および光学測長部５０１は領域８０１に対して矢印の方向８０５に相対的に移動（相対移動に対応する）する。図８の時点において、位置８０６、８０７、８０８については光音響測定が未実施である。しかしながら、光学測長部５０１の測長位置８０４は、位置８０６、８０７、８０８を通過しており、すでにこの三点と同一の位置
または近傍の複数点について被検体表面距離測定を完了している。ステップＳ７０１における部分的な領域とは、上記のような光音響測定を実施する前に、光学測長部５０１による被検体表面測定を実施する領域のことを示している。部分的な領域は、音響レンズの焦点位置８０３と測長位置８０４との距離が、光音響測定を行う測定ピッチよりも大きい場合に生じる。また、光学測長部５０１がポイントセンサではなく、一次元や２次元面における複数位置での高さを高さ分布として一括で取得できる測長センサである場合にも生じる。なお、光音響測定の測定ピッチの方が、位置８０３と位置８０４との距離よりも大きい場合には、実施例１の図３で説明した測定プロセスを採用するようにしても良い。
【００６１】
ステップＳ７０２では、光音響信号の測定位置８０６、８０７、８０８においてそれぞれ、実施例１と同様の方法でＺｓ＿ｂａｒを算出し、式（４）を用いて図５のＺ軸方向の座標Ｚｓｔ＿ｐａ［ｍｍ］を決定する。
【００６２】
ステップＳ７０３では、ステップＳ３０３で設定した領域の全域において、被検体１１２の表面距離測定が終了したか否かを判断する。距離測定が終了していなければ、再度可動ステージの走査に合わせてステップＳ７０１に移行し、同様に距離測定を行う。距離測定が終了している場合はステップＳ７０４に移行し、被検体表面距離測定は終了する。
【００６３】
ステップＳ７０５では、ステップＳ７０２で座標Ｚｓｔ＿ｐａ［ｍｍ］が決定された領域において、光音響測定を実行する。この方法については実施例１と同様のため説明を省略する。
【００６４】
ステップＳ７０６では、ステップＳ３０３で設定した領域の全域において光音響測定が終了したか否かを判断し、測定が終了していなければ、再度ステップＳ７０５に移行し、残りの測定を終了するまで実行する。
【００６５】
その他のデータ取得プロセスについては、実施例１と同様のため、説明を省略する。なお、上記で説明したプロセスは一連の可動ステージの走査に合わせて実行され、被検体表面の距離測定と、光音響測定は各々同時並行的に実行される。しかしながら、本実施例では、実施例１で図４を用いて説明したように、予め、測定領域の全域に亘って被検体表面距離を測定する。そして、光音響測定の測定位置における可動ステージのＺ軸方向の座標を決定してから、実際の測定を行うようにしても良い。これは実施例１と同様に行うことが可能であるため、ここでは説明を省略する。
【００６６】
なお、実施例１の＜その他＞の項目に記載された種々の形態は本実施例においても適用できる。また、本実施例においては、光学測長部５０１を一箇所のみに具備した例を示したが、複数の光学測長部を備えていてもよい。さらに、光学測長部５０１の測定方法として、被検体１１２の表面の一点において測長が可能な例を示した。しかしこれに限られず、ラインセンサや２次元面の高さ分布を同時に取得可能なセンサを用いることも可能である。
【００６７】
＜その他＞
図９は、実施例２における被検体情報取得装置の他の一例を示す模式図である。上記で光学測長部５０１による距離測定箇所と、光音響波を受信するトランスデューサ１１５の音響レンズの焦点とが空間的に離れた位置にある場合について説明した。しかしこれに限られず、これらが空間的に同一の位置にある場合または近傍にある場合でも適用可能である。すなわち図９は、実施例２における被検体情報取得装置の他の一例の、ミラー１１１、トランスデューサ１１５、水槽１１６が備えられた部分を拡大して示したものである。ここでは、被検体１１２の表面形状を測定する手段として、光学測長部５０１の代わりに光学測長部９０１、９０２を用いる。受信部９１２３は、ミラー１１１と、光学測長部９
０１，９０２と、トランスデューサ１１５とが一体化されて構成されている。これらは三角測量を利用した測定原理に基づいており、被検体１１２表面のＺ軸の方向の変位量を測定することが可能である。光学測長部９０１からは測定用レーザー光９０３が射出され、被検体１１２の表面で反射・散乱したレーザー光を光学測長部９０２が受信する。このときレーザー９０３が照射される被検体表面の領域９０４がＺ軸の方向の変位量を測定する箇所となる。なお、図９の音響焦点領域９０５はトランスデューサ１１５に備えられた音響レンズの焦点である。図９のような構成をとることにより、被検体表面のＺ軸方向の凹凸形状を測定する箇所９０４と、トランスデューサ１１５の音響焦点領域９０５の、Ｚ軸に垂直な平面への射影は、同一にすることが可能である。このような場合、図７で示した測定プロセスではなく、実施例１の図３、図４で説明したプロセスに従って測定を行うことができる。なお、図９では、ミラー１１１の内部に光学測長部９０１、９０２を配置した。しかしこれに限らず、ミラー１１１の外側に光学測長部９０１、９０２を配置してもよい。
【００６８】
上記の被検体情報取得装置を用いることで、被検体表面の凹凸を考慮して測定することで、測定領域全域に亘って高解像度な画像を取得することが可能になる。
【００６９】
＜実施例３＞
図１０は、本発明の実施の形態に係る被検体情報取得装置の実施例３を示すブロック図であり、実施例１または実施例２と共通の構成については同一の番号を付して説明を省略する。以下、実施例３の被検体情報取得装置３００（以下「装置３００」と略称する）の全体構成について説明する。本実施例では、被検体表面の凹凸形状の測定方法として実施例１や実施例２で採用した方法とは異なり、被検体１１２の表面で発生した光音響信号を用いるようにした。
【００７０】
≪全体構成の説明≫
本実施例では、光音響測定を行う際に、被検体内部に位置決めされたトランスデューサ１１５の音響レンズの焦点の直上の被検体表面に、パルス光源１００１から出射された光音響波を励起するためのパルス光１００２が照射されるように導光する。以下、この照明方法を明視野照明と呼ぶ。装置３００では、ミラー１００３のように凸面形状のミラーを用いてパルス光を広げることで明視野照明を実現する。しかしこれに限られず、明視野照明が実現されれば他の照明方法でもよい。本実施例では、受信部１１１２は、ミラー１００３と、トランスデューサ１１５とから構成される。
【００７１】
パルス光源１００１は、光吸収体１１３が吸収する波長であるとともに、被検体１１２の表面部位でも光の吸収が行われる波長の光を発光することができる。なお、両者の吸収する波長レンジに重なる領域がある場合は、そのレンジ内の同一の波長を用いることができる。光音響波の受信に基づく光音響信号の取得から画像の表示までに必要な構成については実施例２と同様のため、ここでは説明を省略する。上記のように、本実施例においては、被検体１１２の表面形状の測定をする際に、被検体表面から発生した光音響波を用いる。このとき、パルス光源１００１では、被検体１１２の表面部位で光吸収が起こる波長の光を発光し、トランスデューサ１１５では、その光吸収によって被検体表面から発生した光音響波を受信する。信号増幅器５０３では、その光音響波の受信結果としてトランスデューサ１１５から出力される電気信号を増幅する。
【００７２】
被検体表面距離算出部１００１では、その増幅してなる信号に基づいて、パルス光を被検体１１２に導光する光学系の光軸方向（Ｚ軸方向）における、被検体１１２の表面の座標を算出する。測定制御部１０２は、その算出されてなる被検体１１２の表面の座標をデータとして入力する。測定制御部１０２は、そのデータに基づいて、被検体内部の光吸収体１１３を測定する際の、トランスデューサ１１５が固定されている可動ステージ（不図
示）のＺ軸方向の座標を決定する。測定制御部１０２では、その決定された座標に基づき、可動ステージを制御する。
【００７３】
なお、上記の例では、単一のパルス光源１００１が、光吸収体１１３と被検体１１２の表面部位に対して光吸収のある、同一又は別々の波長を発光できるようにした。しかしこれに限られず、別々の波長を発光する場合、パルス光源は異なる波長を発光可能な複数のパルス光源であってもよい。
【００７４】
≪動作タイミング≫
図１１は、実施例３における装置の動作を示すタイミングチャートである。光音響測定のためのトリガー信号やサンプリングについては図２で説明したものと同様のため説明を省略する。トリガー信号１１０１は、被検体１１２の表面までの距離を測定するために、被検体表面から光音響波を発生させるパルス光の発光タイミングを決めるパルス信号である。光音響波１１０２は、このパルス光によって被検体表面から発生する。この光音響波１１０２は、トリガー信号１１０１の立ち上がり時刻から時間１１０３だけ遅延してトランスデューサ１１５により受信される。時間１１０３は、被検体１１２の表面からトランスデューサ１１５までの光音響波の伝搬時間に応じた時間である。ここで、被検体表面で発生した光音響波１１０２は、光吸収体１１３で発生した光音響波２０６と時間的に重複しないようする。このタイミングの関係を実現するために、被検体表面から光音響波を発生させるパルス光発光トリガー信号１１０１と、光吸収体１１３から光音響波を発生させるパルス光発光トリガー信号２０５とは立ち上がりのタイミングをずらすようにする。ただし、被検体１１２の表面からの光音響波発生用のパルス光の波長と、光吸収体１１３からの光音響波発生用のパルス光の波長が同一で、かつ、それぞれの光音響波が時間的に重複しない場合には、それぞれのトリガー信号のタイミングは同期していてもよい。
【００７５】
≪データ取得プロセス≫
図１２は、実施例３におけるデータ取得プロセスを示すフローチャートである。ステップＳ３０１からステップＳ３０３までは実施例１と同一であるため、ここでは説明を省略する。ステップＳ１２０１では、トランスデューサ１１５が被検体１１２の表面から発生した光音響波を受信する。そして、被検体表面距離算出部１００１が、遅延時間１１０３（図１１）に基づいて被検体表面距離を測定する。そして、被検体表面距離算出部１００１が、測定箇所における被検体表面の凹凸形状を反映する座標Ｚｓ［ｍｍ］をＺｓ＝Ｚｓｔ＿ｓ−ν＊Δｔ・・・（５）によって算出する処理を行う。
【００７６】
ここで、Ｚｓｔ＿ｓ［ｍｍ］は、被検体表面距離を測定するときの可動ステージのＺ軸方向の座標である。Δｔ［ｓ］は、パルス光発光トリガー信号１１０１の立ち上がり時刻から、トランスデューサ１１５に被検体表面から発生した光音響波が到達した時刻までの時間である遅延時間１１０３である。ν［ｍｍ／ｓ］は、水槽１１６内の水の中で光音響波が伝搬する速度である。なお、実施例１でも述べたように、水中内の光音響波の速度νは水温に依存する。そのため、水槽１１６内の水温を温度計で測定しておき、その測定値から速度νを決定してもよい。また、ここでは遅延時間１１０３は光音響波が水中を伝搬する時間が大半を占めており、トランスデューサ１１５の内部を伝搬する時間は無視できるとしている。トランスデューサ１１５の内部を伝搬する時間が無視できない場合には、式（５）の代わりに光音響波がトランスデューサ１１５の内部を伝搬する時間と、速度を考慮した式を用いればよく、後の処理は式（５）を使用した場合と同様に行うことができる。また、ここではトランスデューサ１１５の音響レンズの中心軸と、パルス光１０４を被検体１１２に導光する光学系の光軸が平行である場合（ともにＺ軸と平行な方向）を仮定している。平行でない場合は、二つの軸の傾きを考慮して式（５）を補正することでこの後の処理も同様にして成立する。
【００７７】
ステップＳ１２０２では、ステップＳ１２０１で算出した座標Ｚｓ［ｍｍ］に基づいて、測定制御部１０２で、次に光音響信号を取得する測定位置における可動ステージのＺ軸方向の座標Ｚｓｔ＿ｐａ［ｍｍ］を決定する。これは、実施例１で説明したのと同様に式（２）を満たすように決定することができるため、ここでは詳細の説明を省略する。他の測定プロセスについては、実施例１と同様に実行することが可能であるため、ここでは説明を省略する。なお、本実施例においても実施例１で図４を用いて説明したように、予め、測定領域の全域に亘って被検体表面距離を測定し、光音響測定の測定位置における可動ステージのＺ軸方向の座標をまとめて決定してから、実際の測定をまとめて行うことも可能である。これは実施例１と同様に行うことが可能であるため、ここでは説明を省略する。
【００７８】
＜その他＞
実施例１の＜その他＞の項目に記載された種々の形態は本実施例においても適用可能である。実施例３の被検体情報取得装置を用いることで、被検体表面の凹凸を考慮して測定することができる。それにより、測定領域全域に亘って高解像度な画像を取得することが可能になる。
【００７９】
＜実施例４＞
図１３は、本発明の実施の形態に係る被検体情報取得装置の実施例４を示すブロック図である。実施例４の被検体情報取得装置４００（以下「装置４００」と略称する）の全体構成について説明する。実施例１から３においては、被検体１１２とミラー１１１が主に非接触の場合について説明した。本実施例においては、被検体内部のより深い位置にある光吸収体からの光音響信号を取得するものである。
【００８０】
本実施例においては、被検体１１２とミラー１１１は接触している。なお、図１３に図示していないが、この接触境界面には音響インピーダンスマッチングを図るため水などの液体や、音響インピーダンスマッチングジェルなどを塗布してある。この接触面で生じる圧力によって被検体内部の光吸収体１１３の位置が変わる。そのため、この接触面で生じる圧力を圧力センサ１３０１（圧力測定部に対応する）で測定し、その圧力情報に基づいてトランスデューサ１１５やミラー１１１の被検体１１２の表面に対する相対位置を制御する。具体的には、ミラー１１１の被検体表面に対する押し込み距離を一定に保つように調整する。押し込む方向は、ここでは、パルス光１０４を被検体１１２に導光する光学系の光軸方向（Ｚ軸方向）である。ここで、圧力センサ１３０１は、被検体１１２に導光されるパルス光の光路を妨げない位置に配置されている。また、圧力センサとしては、歪ゲージや静電容量式圧力センサ、圧電式圧力センサなどを用いることができる。圧力センサ１３０１は、測定した圧力値を押込距離算出部１３０２に送出する。
【００８１】
押込距離算出部１３０２では、被検体表面とミラー１１１との接触圧力値から、ミラー１１１が、Ｚ軸方向において被検体表面に押し込まれている距離である押し込み距離を算出する。本実施例では、受信部１３１２３は、ミラー１１１と、圧力センサ１３０１と、トランスデューサ１１５とをベースとして構成されており、圧力センサ１３０１から電気信号を取り出す電気配線を有している。押込距離算出部１３０２では、この押し込み距離を算出する際に、接触面の圧力値と被検体表面のＺ軸方向の押し込み距離が対応した換算表を参照して算出する。この換算表は、光音響測定前に実際の被検体１１２によって予め作成しておくか、被検体１１２を模擬したファントムを用いて予め作成しておいてもよい。換算表の作成方法としては、被検体表面に接触してからＺ軸方向に可動ステージ（不図示）を少しずつ動かし、動かした距離とその時の圧力センサ１３０１で測定した圧力値とを対応させてあらかじめメモリに記憶させておく等することで作成することができる。このメモリは、押込距離算出部１３０２内部に設けて算出の際に適宜読みだすようにしても良いし、外部に設けて適宜読みだすようにしても良い。なお、安全性を考慮して、ユーザ
ーが指定する一定の圧力値を超える場合は、それ以上被検体への押し込みをしないように測定制御部１３０３を制御するようにしても良い。
【００８２】
本実施例におけるデータ取得タイミングは、光音響測定については他の実施例と同様に行えばよい。また、被検体表面の押し込み距離の測定タイミングに関しては、実施例２の被検体距離測定のタイミングと同様に行えばよい。したがってここでは詳細な説明を省略する。なお、本実施例においては、実施例２のように被検体との距離を測定するための光照射を行わないため、遅延時間６０２の設定の必要性はない。
【００８３】
図１４は、実施例４におけるデータ取得プロセスを示すフローチャートである。本実施例ではステップＳ３０１から３０３までは実施例１と同様である。ステップＳ１４０１で、上記で説明した方法に従って、ミラー１１１による被検体１１２の表面の押し込み距離と圧力センサ１３０１で測定した圧力値の換算表を作成する。この換算表は、図示しない換算表取得部によって作成されるようにしても良いし、押込距離算出部１３０２が作成するようにしても良い。作成された換算表は押込距離算出部１３０２に内蔵されたメモリに記憶される。ステップＳ１４０２では、押込距離算出部１３０２が、被検体１１２の表面のミラー１１１による押し込み距離を測定する。押し込み距離の測定開始時においては、ステップＳ３０３で設定した測定範囲の測定開始点における、ステップＳ３０２の測定アライメントした位置でこの押し込み距離の測定を行う。具体的には、圧力センサ１３０１で測定した圧力から、押込距離算出部１３０２が、ステップＳ１４０１で作成した換算表を参照して、押し込み距離に換算する。さらに、このときの被検体表面の凹凸形状を反映した座標Ｚｓ［ｍｍ］をＺｓ＝Ｚｓｔ＿ｓ＋Ｌｐ・・・（６）の式に基づいて算出する。ここで、Ｚｓｔ＿ｓ［ｍｍ］は被検体表面距離を測定するときの、可動ステージのＺ軸方向の座標である。またＬｐ［ｍｍ］は、このとき算出した接触圧力値から換算した被検体表面の押し込み距離である。
【００８４】
ステップＳ１４０３では、ステップＳ１４０２で測定した被検体表面の凹凸形状を反映した座標Ｚｓに基づいて測定制御部１３０３が座標Ｚｓｔ＿ｐａ［ｍｍ］を決定する。座標Ｚｓｔ＿ｐａ［ｍｍ］とは、次の光音響測定を行うための位置における可動ステージ（不図示）のＺ軸の方向の座標である。このとき、Ｚｓｔ＿ｐａは、Ｚｓｔ＿ｐａ＝Ｚｓ＿ｂａｒ−Ｌｐｉ・・・（７）を用いて演算する。
【００８５】
ここで、Ｚｓ＿ｂａｒ［ｍｍ］は、実施例１の式（２）で説明したものと同様であり、光音響測定を行う位置におけるＺｓの近似値である。また、Ｌｐｉ［ｍｍ］は、ステップＳ３０２の測定アライメント時における測定初期の被検体表面の押し込み距離である。式（７）によると、被検体表面からの押し込み距離を初期の値に保ちながら光音響測定を行うことができる。以降の測定プロセスについては、実施例１と同様のためここでは説明を省略する。なお、本実施例においても図４で説明した例のように、予め、測定領域の全域に亘って被検体表面からの押し込み距離を測定し、光音響測定の測定位置における可動ステージのＺ軸方向の座標を決定する。そうしてから、実際の測定を行うようにしても良い。これは実施例１と同様に行うことが可能であるため、ここでは説明を省略する。
【００８６】
＜その他＞
実施例１の＜その他＞の項目に記載した種々の形態は本実施例においても適用可能である。上記で説明した構成では、ミラー１１１と被検体１１２の表面を接触させるようにした。しかしこれに限られず、本実施例においては、これらが接触しない構成でもよい。すなわち、圧力センサ１３０１とミラー１１１とは離間されるとともに双方の位置関係が一定に保たれるようにしても良い。このとき、圧力センサは、ミラー１１１よりも被検体表面に近い側に支持されるとともに被検体表面と接触するようにする。そして、圧力センサは、その接触面の圧力を測定することで、被検体表面とミラー１１１又はトランスデュー
サ１１５との距離を被検体表面の凹凸に追従するように制御することができる。
【００８７】
上記の被検体情報取得装置を用いることで、被検体表面の凹凸を考慮して測定することで、測定領域全域に亘って高解像度な画像を取得できる。
【００８８】
また、本発明の目的は、以下によっても達成される。すなわち、前述した実施例の機能を実現するソフトウェアのプログラムコードを格納した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施例の機能を実現することになり、そのプログラムコードを格納した記憶媒体は本発明を構成することになる。
【００８９】
また、コンピュータが読み出したプログラムコードを実行することにより、そのプログラムコードの指示に基づき、コンピュータ上で稼働しているオペレーティングシステム（ＯＳ）などが実際の処理の一部または全部を行う。その処理によって前述した実施例の機能が実現される場合も、本発明の範囲に含まれる。さらに、記憶媒体から読み出されたプログラムコードが、コンピュータに挿入された機能拡張カードやコンピュータに接続された機能拡張ユニットに備わるメモリに書込まれたとする。その後、そのプログラムコードの指示に基づき、その機能拡張カードや機能拡張ユニットに備わるＣＰＵなどが実際の処理の一部または全部を行い、その処理によって前述した実施形態の機能が実現される場合も、本発明の範囲に含まれる。本発明を上記記憶媒体に適用する場合、その記憶媒体には、先に説明したフローチャートに対応するプログラムコードが格納されることになる。
【００９０】
上記各実施例における様々な技術を適宜組み合わせて新たなシステムを構成することは当業者であれば容易に相当し得るものであるので、このような様々な組み合わせによるシステムもまた、本発明の範疇に属するものである。
【産業上の利用可能性】
【００９１】
上記した被検体情報取得装置によると、被検体が生体物質である場合において医療用画像診断機器として利用可能である。例えば、腫瘍や血管疾患などの診断や化学治療の経過観察などのため、生体内の光学特性値分布及びそれらの情報から得られる生体組織を構成する物質の濃度分布の画像化が可能となる。また、非生体物質を被検体とした非破壊検査などに応用できる。
【符号の説明】
【００９２】
１０１  パルス光源、１０２  測定制御部、１１１  ミラー、１１５  トランスデューサ、１２３  受信部、１１９  画像処理部
【図１】
0006587385.tif 000002
【図２】
0006587385.tif 000003
【図３】
0006587385.tif 000004
【図４】
0006587385.tif 000005
【図５】
0006587385.tif 000006
【図６】
0006587385.tif 000007
【図７】
0006587385.tif 000008
【図８】
0006587385.tif 000009
【図９】
0006587385.tif 000010
【図１０】
0006587385.tif 000011
【図１１】
0006587385.tif 000012
【図１２】
0006587385.tif 000013
【図１３】
0006587385.tif 000014
【図１４】
0006587385.tif 000015